(57)【要約】【課題】容易に装着することが可能な履物カバーを提供する。【解決手段】履物カバーは、履物を被覆する履物カバーにおいて、前記履物のソール底部に接触する様に形成されたソール被覆部と、前記ソール被覆部と一体的に形成され、前記ソール被覆部から前記履物の足囲方向に前記履物のアッパー部分まで延在する第１アッパー被覆部と、前記ソール被覆部と一体的に形成され、前記ソール被覆部から前記履物の他方の足囲方向に前記履物のアッパー部分まで延在する第２アッパー被覆部とを備え、前記第１アッパー被覆部及び前記第２アッパー被覆部は、互いに係止可能に形成されている【選択図】  図２
0003134059.tif 000002
【実用新案登録請求の範囲】
【請求項１】
履物を被覆する履物カバーにおいて、
前記履物のソール底部に接触する様に形成されたソール被覆部と、
前記ソール被覆部と一体的に形成され、前記ソール被覆部から前記履物の足囲方向に前記履物のアッパー部分まで延在する第１アッパー被覆部と、
前記ソール被覆部と一体的に形成され、前記ソール被覆部から前記履物の他方の足囲方向に前記履物のアッパー部分まで延在する第２アッパー被覆部とを備え、
前記第１アッパー被覆部及び前記第２アッパー被覆部は、互いに係止可能に形成されていること
を特徴とする履物カバー。
【請求項２】
前記履物のトゥ部分を被覆するトゥ被覆部を備えること
を特徴とする請求項１記載の履物カバー。
【請求項３】
前記トゥ被覆部は、前記第１アッパー被覆部又は前記第２アッパー被覆部の何れか一方に支持され、当該支持される前記第１アッパー被覆部又は前記第２アッパー被覆部の何れか一方と前記履物との間に収容可能に形成されていること
を特徴とする請求項２記載の履物カバー。
【請求項４】
前記トゥ被覆部は、着脱自在に形成されること
を特徴とする請求項５記載の履物カバー。
【請求項５】
前記第１アッパー被覆部及び前記第２アッパー被覆部は、互いに重複し当該重複する部分において互いに係止する係止部材及び被係止部材を備え、
当該係止部材及び当該被係止部材は、前記重複した部分の足囲方向の長さを調整可能に形成されていること
を特徴とする請求項１乃至請求項４の何れかの項記載の履物カバー。
【請求項６】
前記係止部材及び前記被係止部材は、前記履物の足囲方向に形成された面ファスナーであること
を特徴とする請求項５記載の履物カバー。
【請求項７】
少なくとも前記第１アッパー被覆部又は前記第２アッパー被覆部の何れか一方は、所定の画像が印刷されていること
を特徴とする請求項１乃至請求項６の何れかの項記載の履物カバー。
【考案の詳細な説明】
【技術分野】
【０００１】
本考案は、履物を被覆する履物カバーに関する。
【背景技術】
【０００２】
従来、履物を被覆する履物カバーとしては、特許文献１に記載された考案がある。
【０００３】
【特許文献１】特開２００６−１２２５３５公報
【０００４】
具体的には、この特許文献１に記載された靴カバーは、靴の左側面及び右側面に対応する様に形成された左右の舌片をトゥ部分に相当する箇所で接続し、該箇所に中央の舌片を接続して形成される。そして左右の舌片には、靴底片の外周縁に沿って粘着固定される粘着部が形成される。
【考案の開示】
【考案が解決しようとする課題】
【０００５】
ところで、上述の特許文献１に記載された靴カバーを用いた場合、粘着部によって靴カバーを靴に固定する必要があり、装着に煩雑な作業を要するという問題があった。また、靴カバーを装着する際、粘着部を靴底片の外周縁に沿って粘着する必要がある為、繰り返し靴カバーを使用すると粘着性が低下し、十分に靴を保護することができないという問題があった。
【０００６】
そこで本考案はこの様な実情に鑑みてなされたものであり、容易に装着することが可能な履物カバーを提供することを目的とする。
【課題を解決するための手段】
【０００７】
上記課題を解決する為に、本考案にかかる履物カバーは、履物を被覆する履物カバーにおいて、前記履物のソール底部に接触する様に形成されたソール被覆部と、前記ソール被覆部と一体的に形成され、前記ソール被覆部から前記履物の足囲方向に前記履物のアッパー部分まで延在する第１アッパー被覆部と、前記ソール被覆部と一体的に形成され、前記ソール被覆部から前記履物の他方の足囲方向に前記履物のアッパー部分まで延在する第２アッパー被覆部とを備え、前記第１アッパー被覆部及び前記第２アッパー被覆部は、互いに係止可能に形成されていることを特徴としている。
【０００８】
この構成によれば、履物カバーは、ソール被覆部をソール底部に接触する様に配置し、第１アッパー被覆部及び第２アッパー被覆部を、それぞれ履物の足囲方向に被せて両者を係止することによって使用することができる。これにより、履物カバーは、容易に装着することが可能となる。
【０００９】
また、上記履物カバーは、前記履物のトゥ部分を被覆するトゥ被覆部を備えることが好ましい。
【００１０】
かかる構成によれば、降雨時に特に濡れ易いトゥ部分が濡れることを防止することができる。
【００１１】
また、上記履物カバーにおいて、前記トゥ被覆部は、前記第１アッパー被覆部又は前記第２アッパー被覆部の何れか一方に支持され、当該支持される前記第１アッパー被覆部又は前記第２アッパー被覆部の何れか一方と前記履物との間に収容可能に形成されていることが好ましい。
【００１２】
かかる構成によれば、トゥ被覆部を紛失することを防止することができると共に、突然の降雨時等に、簡潔にトゥ被覆部を用いてトゥ部分が濡れることを防止することができる。
【００１３】
また、上記履物カバーにおいて、前記トゥ被覆部は、着脱自在に形成されることが好ましい。
【００１４】
かかる構成によれば、トゥ被覆部を必要に応じて取り付けることができる為、ユーザの好みに応じてトゥ被覆部を着脱することが可能となる。
【００１５】
また、上記履物カバーにおいて、前記第１アッパー被覆部及び前記第２アッパー被覆部は、互いに重複し当該重複する部分において互いに係止する係止部材及び被係止部材を備え、当該係止部材及び当該被係止部材は、前記重複した部分の足囲方向の長さを調整可能に形成されていることが好ましい。
【００１６】
かかる構成によれば、履物カバーの足囲方向の長さは調整可能となる為、様々なサイズの靴に適用することができる。この構成において、前記係止部材及び前記被係止部材は、前記履物の足囲方向に形成された面ファスナーであることが好ましい。これにより、履物カバーの携帯性を向上させることができると共に、使用時に履物カバーの一部が変形してしまうことを防止することができる。
【００１７】
また、上記履物カバーにおいて、少なくとも前記第１アッパー被覆部又は前記第２アッパー被覆部の何れか一方は、所定の画像が印刷されていることが好ましい。
【００１８】
かかる構成によれば、ユーザは降雨時のみならず、履物カバーを装着して、簡潔に靴のデザインのバリエーションを増やすことができる。
【考案の効果】
【００１９】
以上の様に、本考案にかかる履物カバーは、容易に装着することが可能な履物カバーを提供することができる。
【考案を実施するための最良の形態】
【００２０】
以下、本考案を適用した具体的な実施の形態について図面を参照しながら詳細に説明する。
【００２１】
図１に示す様に、履物カバー１は、履物のソール底部に接触する様に形成されたソール被覆部３と、ソール被覆部３と一体的に形成され、ソール被覆部３から履物の足囲方向に履物のアッパー部分まで延在する第１アッパー被覆部５と、ソール被覆部３と一体的に形成され、ソール被覆部３から履物の他方の足囲方向に履物のアッパー部分まで延在する第２アッパー被覆部７とを備える。この様な履物カバー１は、ビニール等の撥水性を有する材料を、所定の形状に裁断して形成される。
【００２２】
ソール被覆部３は、履物カバー１の装着時に履物のソール底部に接触する様な位置に形成される。また、ソール被覆部３は、履物カバー装着時に、履物のソール底部とヒールとによって形成されるアーチ部分に相当する位置に形成されることが好ましい。これにより、歩行時にソール被覆部３が地面と接触する機会を減少させることができ、履物カバー１が破損することを防止することができる。この様なソール被覆部３は、第１アッパー被覆部５近傍に形成された左片部分３ａと、第２アッパー被覆部７近傍に形成された右片部分３ｂとによって構成される。そして、ソール被覆部３は、これら左片部分３ａと右片部分３ｂとを互いの稜線が平行になる様に重ね合わせ、溶着等の手段により接合することで形成される。そして左片部分３ａと右片部分３ｂとを接合すると、履物カバー１は、第１アッパー被覆部５と第２アッパー被覆部７の主面が互いに対向する様に変形する。
【００２３】
第１アッパー被覆部５は、履物を正面から見た際に、履物の外側から足囲方向に履物のアッパー部分を被覆する。ここで履物の外側とは、装着者が履物を履いた際における外側をいい、例えば左足に履く履物を正面から見た際には、右側をいい、右足に履く履物を正面から見た際には、左側をいう。そして、第１アッパー被覆部５における、装着時に外側に露出する面には、面ファスナー等の係止部９が形成される。また、第１アッパー被覆部５の上端辺５ａは、直線を形成する様に構成される。上端辺５ａの傾斜は、履物のアッパー部分の傾斜を考慮して決定される。そして、第１アッパー被覆部５を、履物の外側から足囲方向に履物を被覆する様に配置すると、上端辺５ａは、履物の内側におけるアッパー部分とソール部分との境界線と重複する様な位置に配置される。これにより、第１アッパー被覆部５は、履物のアッパー部分全体を被覆することが可能となる。
【００２４】
第２アッパー被覆部７は、履物を正面から見た際に、履物の内側から足囲方向に履物のアッパー部分を被覆する。ここで履物の内側とは、装着者が履物を履いた際における内側をいい、例えば左足に履く履物を正面から見た際には、左側をいい、右足に履く履物を正面から見た際には、右側をいう。そして、第２アッパー被覆部７における、装着時に内側に隠れる面には、係止部９と係止可能な被係止部１１が形成される。尚、本実施の形態においては、第１アッパー被覆部５を履物の外側から履物を被覆する構成とし、第２アッパー被覆部７を履物の内側から履物を被覆する構成としたが、本発明はかかる構成に限定されるものではなく、第１アッパー被覆部５を履物の内側から履物を被覆する構成とし、第２アッパー被覆部７を履物の外側から履物を被覆する構成とすることも可能である。
【００２５】
係止部９は、履物カバー１の装着時に足の甲部分に対応する位置に形成される。そして、係止部９は、複数のファスナー係止部９ａ，９ｂ，９ｃによって構成される。各ファスナー係止部９ａ，９ｂ，９ｃは、足の甲部分の傾斜を考慮して、下方に向けて放射線状に延在する様に形成される。また、被係止部１１は、履物カバー１の装着時に係止部９と係止することが可能な位置に形成される。そして、被係止部１１は、ファスナー係止部９ａ，９ｂ，９ｃに対応するファスナー被係止部１１ａ，１１ｂ，１１ｃによって構成される。そして各ファスナー被係止部１１ａ，１１ｂ，１１ｃは、ファスナー係止部９ａ，９ｂ，９ｃに対応する様に、上方に向けて放射線状に延在する様に形成される。この様に、足の甲部分の形状を考慮してファスナー係止部９ａ，９ｂ，９ｃ及びファスナー被係止部１１ａ，１１ｂ，１１ｃを、放射線状に延在する様に形成することによって、履物カバー１は、係止部９と被係止部１１の重複する長さを調整することが可能となり、様々なサイズの靴に対応することが可能となる。
【００２６】
また、第１アッパー被覆部５、及び第２アッパー被覆部７は、連結部１３によって連結される。連結部１３は、履物カバー１の装着時に、履物の踵部分上方に対応する位置に形成される。そして、左片部分３ａと右片部分３ｂとを接合した状態においては、連結部１３、並びに左片部分３ａ及び右片部分３ｂによって、履物のヒール部分を挿入する挿入孔が形成される。
【００２７】
この様な履物カバー１は、図２に示す様な状態で使用される。
【００２８】
履物カバー１を装着する際、使用者は、先ず、第１アッパー被覆部５を履物の外側に、第２アッパー被覆部７を履物の内側に向けて展開し、挿入孔１５にアクセスすることが可能な状態を形成する。そして使用者は、履物の踵部分を挿入孔１５に挿入する。その後、使用者は、第１アッパー被覆部５を履物の内側に向けて移動させ、第１アッパー被覆部５によって足囲方向に履物のアッパー部分を被覆する。このとき第１アッパー被覆部５と履物の間に隙間が形成されない様にすることが好ましい。またこのとき使用者は、第１アッパー被覆部５の上端辺５ａが、履物の内側のアッパー部分とソール部分との境界線近傍に位置する様な状態に第１アッパー被覆部５を配置することが好ましい。次に、使用者は、第２アッパー被覆部７を履物の外側に向けて移動させ、第２アッパー被覆部７と第１アッパー被覆部５とが重複する様に、アッパー部分を第２アッパー被覆部７によって被覆する。
【００２９】
そして次に使用者は、第１アッパー被覆部５に形成されたファスナー係止部９ａ，９ｂ，９ｃと、第２アッパー被覆部７に形成されたファスナー被係止部１１ａ，１１ｂ，１１ｃとを係止する。そしてこのとき使用者は、第２アッパー被覆部７と第１アッパー被覆部５との間に隙間が形成されない様に、ファスナー係止部９ａ，９ｂ，９ｃとファスナー被係止部１１ａ，１１ｂ，１１ｃとの重複具合を調整する。そしてこのとき履物カバー１は、図３に示す様な状態となる。この様に、履物カバー１は、第１アッパー被覆部５及び第２アッパー被覆部７を移動させる動作のみによって装着することが可能であり、容易に装着することが可能となる。
【００３０】
また、履物カバー１は、図４に示す様に履物のトゥ部分を被覆するトゥ被覆部１７を備える。トゥ被覆部１７は、履物カバー１本体と着脱自在に形成される。また、トゥ被覆部１７は、例えば履物カバー１本体と同一の素材を、図５に示す様に、先端が先細った様な形状を有する袋形状に構成して形成される。そしてこの様なトゥ被覆部１７は、固定片１７ａ，１７ｂに形成された面ファスナー等の係止手段によって第１アッパー被覆部５又は第２アッパー被覆部の何れか一方、又は両方に係止される。
【００３１】
固定片１７ａ，１７ｂは、それぞれ履物の上面及び下面に位置する様に、トゥ被覆部１７本体から延在する様に形成される。そして上面に形成された固定片１７ａの上面には面ファスナーの係止部材１９が形成され、下面に形成された固定片１７ｂの下面には、面ファスナーの係止部材２１が形成される。そして、図６に示す様に、係止部材１９に対応する被係止部材２３は、重複する第１アッパー被覆部５及び第２アッパー被覆部７のうち、下に位置する第１アッパー被覆部５における係止部材１９に対応する位置に形成される。また、係止部材２１に対応する被係止部材２５は、左片部分３ａと右片部分３ｂとの接合部における係止部材２１に対応する位置に形成される。
【００３２】
また、トゥ被覆部１７は、履物カバー１に収容可能に形成することもできる。この場合、トゥ被覆部１７は、その上面と下面を接触させた状態で平坦になる様に形成される。そしてトゥ被覆部１７の固定片１７ａを、例えば第１アッパー被覆部５の固定する。そして、トゥ被覆部１７は、履物と第１アッパー被覆部５との間に収容される。これによりトゥ被覆部１７の紛失を防止することが可能となる。また、トゥ被覆部１７を履物と第１アッパー被覆部５の間に収容可能に形成することによって、外観上、トゥ被覆部１７を目立たなくすることができる。
【００３３】
また、この様な履物カバー１のうち、特に第１アッパー被覆部５及び第２アッパー被覆部７には、所定の画像が印刷されることが好ましい。この様に履物カバー１のうち、外観上目立つ第１アッパー被覆部５及び第２アッパー被覆部７に画像を印刷することによって、例えば１足の履物で、様々なデザインを演出することができる。すなわち、本考案にかかる履物カバー１は、履物が濡れることを防止することのみならず、意匠的な利用をすることが可能となる。そしてこの様な履物カバー１は、降雨時のみならず、日常的に使用することができる。履物カバー１に印刷される画像としては、どのような画像であっても良いが、面ファスナー等に対応する部分を隠すように画像を印刷することで、面ファスナー等を目立たなくすることができる。
【００３４】
この様に履物カバー１によれば、簡潔に履物を被覆することができ、降雨等によって履物が濡れることを防止することができる。
【００３５】
また、履物カバー１によれば、画像を印刷することで様々な場面に応じて靴のデザインを変更することができる。
【００３６】
尚、本考案は上述の実施の形態に限られるものではなく、各構成は本考案の趣旨を逸脱しない範囲で適宜変更可能である。
【００３７】
例えば、上述の履物カバー１は、男性用の履物を図示して詳細な説明を行ったが、女性用の履物に対しても適用することが可能である。この場合、女性用の履物は男性用の履物と比較して小さい場合が多いので、第１アッパー被覆部５、及び第２アッパー被覆部７の専有面積や、係止部９と被係止部１１との間の距離を小さくすることが好ましい。
【００３８】
また、第１アッパー被覆部５及び第２アッパー被覆部７の形状は、上述の形状に限られるものではなく、履物の形状や種類に応じて適宜変更可能である。
【図面の簡単な説明】
【００３９】
【図１】本考案にかかる履物カバーの平面図である。
【図２】同履物カバーの斜視図である。
【図３】同履物カバーを履物に装着した際の斜視図である。
【図４】同履物カバーに付属するトゥ被覆部を履物に装着した際の斜視図である。
【図５】同トゥ被覆部の斜視図である。
【図６】同履物カバーの斜視図である。
【符号の説明】
【００４０】
１    履物カバー
３    ソール被覆部
５    第１アッパー被覆部
５ａ    上端辺
７    第２アッパー被覆部
９    係止部
１１    被係止部
１７    トゥ被覆部
【図１】
0003134059.tif 000003
【図２】
0003134059.tif 000004
【図３】
0003134059.tif 000005
【図４】
0003134059.tif 000006
【図５】
0003134059.tif 000007
【図６】
0003134059.tif 000008